(57)【要約】【課題】低輝度モード（軽負荷時）であっても常に高い効率が維持できる電源を備えた液晶表示装置およびテレビジョン装置を提供する。【解決手段】液晶表示装置は、液晶パネルと、液晶パネルを駆動する駆動システム部１２０と、液晶パネルを照明するバックライト光源部１１０と、バックライト光源部に対して電力を供給する第１の電源部１３と、少なくとも駆動システム部に対して電力を供給する第２の電源部１５と、バックライト光源部１１０に対する電源部の切り換えを行う制御部１６とを有しており、制御部１６は、バックライト光源部１１０の負荷が所定値以上の場合に第１の電源部１３からバックライト光源部に電力を供給し、バックライト光源部１１０の負荷が所定値よりも小さい場合に第２の光源部１５からバックライト光源部１１０に電力を供給するように、バックライト光源部１１０に対する電源部の切り換えを行っている。【選択図】図１
2014240854.tif 000002
【特許請求の範囲】
【請求項１】
液晶パネルと、該液晶パネルを駆動する駆動システム部と、前記液晶パネルを照明するバックライト光源部と、該バックライト光源部に対して電力を供給する第１の電源部と、少なくとも前記駆動システム部に対して電力を供給する第２の電源部と、前記バックライト光源部に対する電源部の切り換えを行う制御部とを有する液晶表示装置であって、
前記制御部は、前記バックライト光源部の負荷が所定値以上の場合に前記第１の電源部から前記バックライト光源部に電力を供給し、前記バックライト光源部の負荷が前記所定値よりも小さい場合に前記第２の電源部から前記バックライト光源部に電力を供給するように、前記バックライト光源部に対する電源部の切り換えを行うことを特徴とする液晶表示装置。
【請求項２】
前記第２の電源部は、前記駆動システムおよび前記バックライト光源部以外の構成部に対しても電力を供給することを特徴とする請求項１に記載の液晶表示装置。
【請求項３】
前記第２の電源部がフライバック回路から構成される電源部であることを特徴とする請求項１または２に記載の液晶表示装置。
【請求項４】
前記第１の電源部が力率改善回路を備えたＬＬＣ電流共振回路から構成される電源部であることを特徴とする請求項１から３のいずれか１に記載の液晶表示装置。
【請求項５】
請求項１〜４のいずれか１に記載の液晶表示装置を備えたテレビジョン装置。
【発明の詳細な説明】
【技術分野】
【０００１】
本発明は、液晶表示装置およびテレビジョン装置に関し、詳しくは、軽負荷時の電源効率を高めた液晶表示装置およびテレビジョン装置に関する。
【背景技術】
【０００２】
近年、テレビジョン装置の多機能化により、例えば液晶表示装置を用いたテレビジョン装置において、オーディオ専用（Audio Only）モードあるいは絵画モードなど、液晶表示装置の輝度を非常に小さくしたモード、すなわちバックライト光源の出力を非常に小さくしたモードで使用する場合がある。しかしながら、一般的に電源は定格電力時（通常視聴時）に効率が高くなるように設計されており、消費電力が小さい軽負荷のオーディオ専用モードや絵画モードの特殊時時には効率が下がってしまうという問題がある。一方、環境の観点からテレビジョン装置の消費電力が注目され、電源の高効率化が求められている。
【０００３】
図８は、従来の液晶表示装置の電源部の一構成例を模式的に示した図である。図８の液晶表示装置１００は図示しない液晶パネルを有するとともに、交流電源（ＡＣ電源）１０１から供給される電力を整流ダイオード１０２によって整流し、整流した直流を、力率改善回路（以下、「ＰＦＣ回路」という。）１０３１を備えたＬＬＣ電流共振回路（以下、「ＬＬＣ回路」という。）１０３２からなる第１の電源部１０３と、フライバック回路を有する第２の電源部１０５とに供給している。そして、第１の電源部１０３からＬＥＤドライブ回路１０４を介してバックライト光源部１１０の光源となるＬＥＤ（発光ダイオード）に電力を供給し、第２の光源部１０５から液晶表示装置における液晶パネルの駆動回路を含む駆動システム部１２０に対して電力を供給している。
【０００４】
なお、第２の電源部１０５からは、液晶表示装置がテレビジョン装置に組み込まれた際に、待機時(スタンバイ時)にリモートコントロール回路からのユーザー操作を受け付けるための待機システム部１３０や、図示しないチューナ部、デコード部、映像信号処理部、音声信号処理部、音声出力部等の他の構成部に対しても電力を供給している。
【０００５】
図９は、ＰＦＣ回路を備えたＬＬＣ回路からなる第１の電源部の出力−効率特性の一例を示す図である。図９で示すように、第１の電源部１０３は高電力帯での効率は高いが、低電力帯では効率が悪化している。これは、ＰＦＣ回路が軽負荷になればなるほど効率の悪化を招くためであり、このため、図８に示す液晶表示装置では、バックライトの輝度を非常に小さくしたモード(低輝度モード)では、電源効率が顕著に悪くなってしまうという問題があった。
【０００６】
一方、電源部の高効率化を図るために、例えば特許文献１に開示された照明装置では、光源部に電力を供給するために複数の電源部を設け、光源部の点灯状態に応じて、複数の電源部のうち使用する電源部の数を決定して光源部に所定の電力を供給することが開示されている。
【先行技術文献】
【特許文献】
【０００７】
【特許文献１】特開２０１０−２８７５４４号公報
【発明の概要】
【発明が解決しようとする課題】
【０００８】
しかしながら、特許文献１に開示された技術では、光源部への電力供給用に使用する電源部を複数準備しなければならず、この技術を液晶表示装置に適用した場合は、バックライト光源部専用の電源部を複数準備し、負荷の状態に応じて使用する電源部の個数を変更することが必要となる。すなわち、通常視聴時では複数の電源部をすべて使用し、低負荷時には限られた数の電源部を利用することになるため、個々の電源部は利用時に高効率な使用状態となるが、複数の電源部を設ける必要があるため、回路規模が大きくなってしまうこととなる。さらに、バックライトの輝度を非常に小さくした場合は、１つの電源部を用いることになるため、効率の悪い低電力帯で使用せざるを得ない状況を避けることはできなかった。
【０００９】
本発明は、これらの実情に鑑みてなされたものであり、電源の回路規模を全体として大きくすることなく、低輝度モード（軽負荷時）であっても常に高い効率が維持できる電源を備えた液晶表示装置およびテレビジョン装置を提供することをその目的とする。
【課題を解決するための手段】
【００１０】
上記課題を解決するために、本発明の第１の技術手段は、液晶パネルと、該液晶パネルを駆動する駆動システム部と、前記液晶パネルを照明するバックライト光源部と、該バックライト光源部に対して電力を供給する第１の電源部と、少なくとも前記駆動システム部に対して電力を供給する第２の電源部と、前記バックライト光源部に対する電源部の切り換えを行う制御部とを有する液晶表示装置であって、前記制御部は、前記バックライト光源部の負荷が所定値以上の場合に前記第１の電源部から前記バックライト光源部に電力を供給し、前記バックライト光源部の負荷が前記所定値よりも小さい場合に前記第２の電源部から前記バックライト光源部に電力を供給するように、前記バックライト光源部に対する電源部の切り換えを行うことを特徴としたものである。
【００１１】
第２の技術手段は、第１の技術手段において、前記第２の電源部は、前記駆動システムおよび前記バックライト光源部以外の構成部に対しても電力を供給することを特徴としたものである。
【００１２】
第３の技術手段は、第１または２の技術手段において、前記第２の電源部がフライバック回路から構成される電源部であることを特徴としたものである。
【００１３】
第４の技術手段は、第１から３のいずれか１の技術手段において、前記第１の電源部が力率改善回路を備えたＬＬＣ電流共振回路から構成される電源部であることを特徴としたものである。
【００１４】
第５の技術手段は、第１〜４のいずれか１の技術手段である液晶表示装置を備えたテレビジョン装置である。
【発明の効果】
【００１５】
本発明によれば、液晶表示装置において、バックライト光源部に電力を供給するために、バックライト光源専用の第１の電源部と、駆動システム電源として用いられる第２の電源部とを効果的に切り換えることにより、液晶表示装置が低輝度モードで表示を行う場合であっても電源部の効率を常に高い効率に維持することができる。
【図面の簡単な説明】
【００１６】
【図１】本発明の一実施形態における液晶表示装置の電源部の構成例を模式的に示した図である。
【図２】図１に示した電源部の構成例の回路構成図である。
【図３】図２に示した回路構成図における負荷検出回路の具体例を示す図である。
【図４】第２の電源部の出力―効率特性を示す図である。
【図５】本発明の一実施形態における液晶表示装置におけるバックライト光源部の負荷電力−効率特性を説明するための図である。
【図６】本発明の他の実施形態における液晶表示装置の電源部の構成例を模式的に示した図である。
【図７】図６に示した電源部の構成例の回路構成図である。
【図８】従来の液晶表示装置の電源部の一構成例を模式的に示した図である。
【図９】第１の電源部の出力―効率特性を示す図である。
【発明を実施するための形態】
【００１７】
以下、図面を参照しながら、本発明の液晶表示装置およびテレビジョン装置に係る好適な実施の形態について説明する。以下の説明において、異なる図面においても同じ符号を付した構成部材は同じものであるとして、その説明を省略する場合がある。
【００１８】
図１は、本発明の一実施形態における液晶表示装置の電源部の構成例を模式的に示した図である。図１に示す液晶表示装置１０は、交流電源（ＡＣ電源）１１、整流ダイオード１２、第１の電源部１３、ＬＥＤドライブ回路１４、第２の電源部１５、制御部１６、スイッチング部１７、図示しない液晶パネルを照明するバックライト光源部１１０、液晶パネルのシャッターを駆動するための駆動システム部１２０、待機システム部１３０を有する。図１に示す液晶表示装置１０は、図８で示した液晶表示装置に比べて、第２の電源部１５からの出力がバックライト光源部１１０に対してもスイッチング部１７を介して加えられるようになっており、ＬＥＤドライブ回路１４からの検出出力に基づいて、バックライト光源部１１０に対する入力を第１の電源回路１３からと第２の電源回路１５からとに切り換えている点が異なっている。
【００１９】
すなわち、液晶表示装置１０は、ＡＣ電源１１から供給される電力を整流ダイオード１２によって整流し、整流した直流を、ＰＦＣ回路１３１を備えたＬＬＣ回路１３２からなる第１の電源部１３と、フライバック回路を有する第２の電源部１５とに供給している。そして、第１の電源部１３は、バックライト光源部１１０に対する専用電源として、ＬＥＤドライブ回路１４を介してバックライト光源部１１０の光源となるＬＥＤに電力を供給している。ＰＦＣ回路１３１を備えたＬＬＣ回路１３２からなる第１の電源部１３は、小中電力用の電源として定格あるいは高負荷時に高い効率で作動することができる。また、第２の電源部１５は、液晶表示装置における液晶パネルの駆動回路を含む駆動システム部１２０に対して電力を供給するとともに、スイッチング部１７をオン状態にした際に、ＬＥＤドライブ回路１４を介してバックライト光源部１１０に対しても電力を供給できるようになっている。
【００２０】
また、制御部１６は、ＬＥＤドライブ回路１４からの検出結果に基づいて、後で詳述するように、バックライト光源部１１０の負荷が所定値以上の場合に第１の電源部１３からバックライト光源部１１０に電力を供給し、バックライト光源部１１０の負荷が所定値よりも小さい場合に第２の光源部１５からバックライト光源部１１０に対して電力を供給するようにしている。
【００２１】
なお、第２の電源部１５からは、液晶表示装置がテレビジョン装置に組み込まれた際に、待機時(スタンバイ時)にリモートコントロール回路からのユーザー操作を受け付けるための待機システム部１３０や、図示しないチューナ部、デコード部、映像信号処理部、音声信号処理部、音声出力部等の他の構成部に対しても電力を供給している点は、図８で示した液晶表示装置と同様である。
【００２２】
次に、図１に示した電源部の回路構成について説明する。図２は、図１に示した電源部の構成例の回路構成図であり、図３は、図２に示した回路構成図における負荷検出回路の具体例を示す図である。第１の電源部１３のＰＦＣ回路１３１およびＬＬＣ回路１３２の主要部はＩＣ（集積回路）によって構成することができ、ＰＦＣ回路１３１およびＬＬＣ回路１３２へはスイッチング素子２８を介して電源Ｖｃｃ２７から電力が供給される。そして、第１の電源部１３からの電流はダイオード２２を介してＬＥＤドライブ回路１４側のコンデンサ２３に供給される。ＬＥＤドライブ回路１４は、コンデンサ２３からバックライト光源部１１０のＬＥＤに供給される電流を、スイッチング回路１９によってスイッチングすることによってデューティ制御（パルス幅制御）を行い、バックライト光源部１１０のＬＥＤをデューティ比に応じた輝度で発光させる。
【００２３】
第２の電源部１５からの出力はコンデンサ２４に蓄えられ、駆動システム部１２０あるいは待機システム部１３０に供給される。また、第２の電源部１５からの出力はスイッチング部１７とダイオード２５を介してＬＥＤドライブ回路１４側のコンデンサ２３にも供給できるようになっている。ここで、スイッチング素子２８とスイッチング部１７とは制御部１６に設けたコンパレータ２６の出力に応じてスイッチングがなされ、スイッチング素子２８がオンの場合はスイッチング部１７がオフの状態となり、スイッチング素子２８がオフの場合はスイッチング部１７がオンの状態となるように制御される。
【００２４】
バックライト光源部１１０で消費される電力すなわちバックライト光源部１１０の負荷は、バックライト光源部１１０に供給される電力にほぼ等しい。そして、バックライト光源部１１０の負荷は、スイッチング回路１９でのパルス幅制御におけるデューティ比によって決まるが、コンデンサ２３の電位が一定であるとすれば、スイッチング回路１９を流れる電流を検出することによってバックライト光源部１１０の負荷の大きさを知ることができる。
【００２５】
このため、本実施形態では、例えば、図３（Ａ）に示すように、スイッチング回路１９の前段に電流検出用のトランス３１を挿入し、トランス３１の２次コイル側に誘導される電流を、ダイオード３２を介してコンデンサ３３に蓄えることで電圧Ｖｉｎに変換し、この電圧Ｖｉｎをコンパレータ２６の一方の入力端に出力している。あるいは、図３（Ｂ）に示すように、スイッチング回路１９の前段に電流検出用の抵抗４０を挿入し、抵抗４０の両端の電位差を増幅器４１で検出することにより、スイッチング回路１９に流れる電流を電圧Ｖｉｎに変換し、この電圧Ｖｉｎをコンパレータ２６の一方の入力端に出力している。したがって、コンパレータ２６の入力電圧Ｖｉｎはバックライト光源部１１０の負荷電力に比例している。
【００２６】
コンパレータ２６の他方の入力端子には、所定の基準電圧Ｖｒｅｆが入力されており、電圧Ｖｉｎが基準電圧Ｖｒｅｆ以上の場合は、スイッチング素子２８がオンでスイッチング部１７がオフの状態となり、電圧Ｖｉｎが基準電圧Ｖｒｅｆよりも小さい場合は、スイッチング素子２８がオフでスイッチング部１７がオンの状態となる。すなわち、バックライト光源部１１０の負荷が所定値以上の場合には第１の電源部１３からバックライト光源部１１０に電力が供給され、バックライト光源部１１０の負荷が所定値よりも小さい場合に第２の光源部１５からバックライト光源部１１０に電力が供給されるようにバックライト光源部１１０に対する電源部の切り換えが行われる。
【００２７】
次に、バックライト光源部１１０に対する第１の電源部１３と第２の電源部１５の切り換えによる、液晶表示装置１０の電源部全体の効率の変化について説明する。まず、第１の電源部１３の出力―効率特性は、従来の液晶表示装置の第１の電源部１０３と同じであり、図９で示した出力―効率特性と同じである。そして、第１の電源部１３は高電力帯での効率は高いが、低電力帯では効率が低下するという特性を有している。また、図４は、第２の電源部の出力―効率特性を示す図である。図４で示すようにフライバック回路からなる電源部は、比較的に小容量タイプの電源部であり、低電力帯においても効率の立ち上がりが良好な電源となっている。
【００２８】
なお、図９および図４で示す出力―効率特性は、定格出力を１００％として表示しているが、第１の電源部１３と第２の電源部の定格出力の大きさは異なるものであり、通常、第１の電源部の定格出力は第２の電源部１５の定格出力よりも大きくなるように構成されている。また、第１の電源部１３および第２の電源部１５は、図示しないが定格出力以上を出力する場合は、その効率が定格出力の時よりも低下する。
【００２９】
図５は、本発明の一実施形態における液晶表示装置におけるバックライト光源部の負荷電力−効率特性を説明するための図である。図５において、曲線Ａは第１の電源部１３の負荷電力―効率特性を示す曲線であり、図８の第１の電源部の出力―効率特性の曲線と同じものである。ここで、図５の横軸はバックライト電源部の負荷電力を示しており、図５における定格時の負荷電力１００％の大きさと図８の定格時の出力１００％の大きさとは等しいものとして記載している。また、曲線ＢはＰ１点から立ち上がっているが、第２の電源部１５の出力―効率特性の曲線を基に表示したものである。すなわち、バックライト光源部の定格時の負荷の大きさと第２の光源部１５の定格時の出力の大きさとの比で、第２の電源部１５の出力−効率特性の曲線を変更して図５に記載したものである。
【００３０】
ここで、第２の電源部１５は、駆動システム部１２０等に電力を供給しており、Ｐ１点からＰ０点に相当する負荷Ｗ０は、第２の電源部１５がバックライト光源部１１０以外の負荷に対して供給している電力に相当している。したがって、第２の電源部１５がバックライト光源部１１０に対して電力を供給する場合は、負荷Ｗ０に加えてバックライト光源部１１０の負荷が加わるため、図のＰ１点から立ち上がり、バックライト光源部に電力を供給している際は、第２の電源部１５は図５で示す負荷電力が０％以上での出力―効率特性の曲線Ｂに相当する特性部分で動作することになる。
【００３１】
また、曲線Ａと曲線ＢとはＰ３点で交差しているが、少なくとも第２の電源部１５はその定格出力が第１の電源部１３よりも小さく、その定格出力を超えた際には効率が低下するため、第２の電源部１５の出力―効率特性の曲線Ｂは第１の電源部１５の出力―効率特性の曲線Ａと交差することになる。
【００３２】
そして、図１に示す液晶表示装置１０では、バックライト光源部１１０に対して、通常の視聴時ではバックライト光源専用の第１の電源部１３から電力を供給し、低輝度時には駆動システム部１２０等に電力を供給している第２の電源部１５から電力を供給するように切り換えている。そして、第１の電源部１３と第２の電源部１５との切り換えは、第１の電源部１５の出力―効率特性の曲線Ａと第２の電源部１５の出力―効率特性の曲線Ｂとが交差するＰ３点で行っている。
【００３３】
次に、通常視聴時におけるバックライト光源部１１０の負荷を１００％とし、液晶表示装置１０を通常視聴から低輝度での視聴に徐々に移行させた場合について、液晶表示装置１０の電源部全体の効率の変化について、図５に基づいて説明する。まず、通常視聴時においてバックライト光源部１１０の負荷電力は１００％の状態にあり、この場合、スイッチング素子２８がオンでスイッチング部１７はオフの状態にある。そして、バックライト光源部１１０へは第１の電源部１３のみから電力が供給されるとともに、第１の電源部１３は図５のＰ４点で動作している。そして、バックライト光源部１１０の輝度を下げていくにしたがって、負荷電力は減少していき、電源部の効率は曲線Ａ上を左側へ移動していく。この時に、負荷検出回路１８からの出力Ｖｉｎも徐々に減少していくことになる。
【００３４】
そして、バックライト光源１１０の負荷電力が、曲線Ａと曲線Ｂとが交差するＰ３点の負荷電力（Ｑ％）より小さくなった際に、スイッチング素子２８がオフしスイッチング部１７がオンするように、コンパレータ２６の基準電圧Ｖｒｅｆが設定されている。このため、電源負荷電力がＱ％よりも低い状態では、バックライト光源部１１０は第２の電源部から電力を供給されることになる。なお、切り換え時のＰ３点の負荷電力（Ｑ％）は第１の電源部１３と第２の電源部１５の出力―効率特性を実測するとともに、第１の電源部１３の駆動システム部等への負荷を求めることによって決定することができる。また、第１の電源部１３の出力―効率特性を求め、効率の低下が顕著となる低負荷時に合わせて、第２の電源部１５の出力−効率特性が所定の曲線となるように第２の電源部１５を設計してもよい。
【００３５】
以上から、液晶表示装置１０のバックライト光源部１１０が高輝度モードのＱ％以上１００％以下の領域で動作している際は、第１の光源部１３は図５に示す負荷電力―効率特性の曲線ＡのＰ３点からＰ４点上で動作し、その際に、第２の電源部１５はバックライト光源部１１０に対する電力供給がない負荷電力―効率特性の曲線ＢのＰ２点で動作することになる。また、バックライト光源部１１０が低輝度モードの０％以上Ｑ％未満の領域で動作している際は、第２の光源部１５は負荷電力―効率特性の曲線ＢのＰ２点からＰ３点上で動作し、その際に、第１の電源部１３はバックライト光源部１１０に対する電力供給がないＰ０点の状態となる。
【００３６】
なお、第２の電源部１５は、駆動システム部１５以外の構成部に対しても電力を供給することがあるため、第２の電源部１５がバックライト光源部１１０以外の負荷に対して電力を供給している負荷Ｗ０が変化する場合があるが、第２の電源部１５の高効率な状態が維持される領域が広いため、この部分で曲線Ｂが曲線Ａと交わるようにしておけば、バックライト光源部１１０以外の負荷Ｗ０の変動を受けなくすることができる。さらに、バックライト光源部の負荷電力の変化が曲線Ａと曲線Ｂとが交差するＰ３点の負荷電力（Ｑ％）の前後で頻繁に起こる際に、第１の電源部１３と第２の電源部１５との切り換えも頻繁に起こることになるため、コンパレータ２６の出力が切り換わる際にヒステリシス特性を持たせることが望ましい。
【００３７】
以上に説明した実施形態では、低輝度モードでは第２の電源部１５のみが動作しているため、第１の電源部１３の軽負荷時での効率悪化の影響はなくなる。また、第２の電源部１３も低負荷時には効率が悪化するが、常に駆動システム部等の負荷に電力を供給しているため、第２の電源部１３が低負荷になることはなく効率の悪化は起こらない。そして、第１の電源部１３と第２の電源部１５のバックライト光源部１１０に対する電力供給の切り換えは、簡単な回路構成で行うことができるため、液晶表示装置１０の電源ユニット内で行うことができる。
【００３８】
次に、本発明の他の実施形態に係る液晶表示装置について説明する。図６は、本発明の他の実施形態における液晶表示装置の電源部の構成例を模式的に示した図であり、図７は、図６に示した電源部の構成例の回路構成図である。
【００３９】
図６、図７に示す電源部の構成例は、図１、図２で示した電源部の構成例においてスイッチング部１７を省略した点が異なっている。そして、図６、図７で示す電源部の構成例では、第１の電源部１３の出力電圧が第２の電源部１５の出力電圧よりも若干高なるようにしている。このため、第１の電源部１３が動作している際は、コンデンサ２１の電位は、コンデンサ２４の電位よりも若干高くなり、第１の電源部１３からＬＥＤドライブ回路１４を介してバックライト光源部１１０に電力が供給されるが、第２の電源部１５からはバックライト光源部１１０に対して電力が供給されない。また、第１の電源部１３が動作していない際は、コンデンサ２１の電位は零となるため、第２の電源部１５からＬＥＤドライブ回路１４を介してバックライト光源部１１０に電力が供給され、第１の電源部１３からはバックライト光源部１１０に対して電力が供給されることはない。
【００４０】
したがって、図６、図７に示す電源部の構成例におけるバックライト光源部の負荷電力−効率特性は、図５で説明した液晶表示装置における負荷電力−効率特性と同じとなる。このように、図６、図７に示す電源部の構成例では、第１の電源部１３の出力電圧、より詳しくは図５で示す負荷電力がＱ％以上の領域における出力電圧が、第２の電源部１５の出力電圧よりも大きくなるようにしておくことで、スイッチング部１７を省いた構成とすることができる。その他の効果については、図１、図２で示した実施形態と同様である。
【００４１】
以上、本発明の実施形態として、バックライト光源として発光ダイオード（ＬＥＤ）を用いた例について説明したが、バックライト光源として冷陰極線管を用いてもよく、その場合は、ＬＥＤドライブ回路１４を冷陰極線駆動回路として構成すればよい。また、第２の電源部として、フライバック回路から構成される電源部について説明したが、第２の電源部を第１の電源部と同様にＰＦＣ回路を備えたＬＬＣ回路から構成してもよく、さらに、他の構成の電源回路としてもよい。また、第１の電源部からの出力を停止させるために、ＰＦＣ回路１３１およびＬＬＣ回路１３２への駆動電源の供給を遮断させたが、例えば、第１の電源部１３の後段にスイッチング部を設け、このスイッチング部によってバックライト光源部１１０への電力の供給をオンオフするようにしてもよい。
【００４２】
以上説明したように、本発明の液晶表示装置は、液晶パネルと、該液晶パネルを駆動する駆動システム部と、前記液晶パネルを照明するバックライト光源部と、該バックライト光源部に対して電力を供給する第１の電源部と、少なくとも前記駆動システム部に対して電力を供給する第２の電源部と、前記バックライト光源部に対する電源部の切り換えを行う制御部とを有する液晶表示装置であって、前記制御部は、前記バックライト光源部の負荷が所定値以上の場合に前記第１の電源部から前記バックライト光源部に電力を供給し、前記バックライト光源部の負荷が前記所定値よりも小さい場合に前記第２の光源部から前記バックライト光源部に電力を供給するように前記バックライト光源部に対する電源部の切り換えを行うことを特徴としている。これにより、液晶表示装置が低輝度モードで表示を行う場合であっても電源部の効率を常に高い効率に維持することができる。
【００４３】
また、前記第２の電源部は、前記駆動システムおよび前記バックライト光源部以外の構成部に対しても電力を供給することが望ましい。これにより、第２の電源部には常に負荷がかかるため、電源効率が低下することがない。
【００４４】
また、前記第２の電源部がフライバック回路から構成される電源部であることが望ましい。これにより、第２の電源部は比較的に小容量タイプの電源部として低電力帯においても効率の立ち上がりが良好な電源として構成することができる。
【００４５】
また、前記第１の電源部が力率改善回路を備えたＬＬＣ電流共振回路から構成される電源部であることが望ましい。これにより、第１の電源部は、小中電力用の電源として定格あるいは高負荷時に高い効率で作動する電源として構成することができる。
【００４６】
また、本発明のテレビジョン装置は、上記の液晶表示装置を備えたものであることを特徴としている。これにより、電源部の効率を常に高い効率に維持することができるテレビジョン装置を提供することができる。
【００４７】
また、バックライト光源部に対する電源部の切り換え時に、ヒステリシス特性を持たせることが望ましい。これにより、バックライト光源部の負荷が所定値を跨いで頻繁に変化する場合であっても、電源部の切り換えを追従させることなく安定させることができる。
【符号の説明】
【００４８】
１０、１０’…液晶表示装置、１１，１０１…交流電源（ＡＣ電源）、１２，１０２…整流ダイオード、１３，１０３…第１の電源部、１４，１０４…ＬＥＤドライブ回路、１５，１０５…第２の電源部、１６…制御部、１７…スイッチング部、１８…負荷検出回路、１９…スイッチング回路、２１，２３，２４，３３…コンデンサ、２２，２５，３２…ダイオード、２７…電源、２８…スイッチング素子、３１…トランス、４０…抵抗、４１…増幅器、１１０…バックライト光源部、１２０…駆動システム部、１３０…待機システム部。
【図１】
2014240854.tif 000003
【図２】
2014240854.tif 000004
【図３】
2014240854.tif 000005
【図４】
2014240854.tif 000006
【図５】
2014240854.tif 000007
【図６】
2014240854.tif 000008
【図７】
2014240854.tif 000009
【図８】
2014240854.tif 000010
【図９】
2014240854.tif 000011